(57)【要約】【課題】従来のノイズ除去技術では、２以上の無線信号受信器（マイクまたはアンテナ）が必要であり装置自らが放射するノイズは除去できないという課題があった。【解決手段】本発明の受信装置は、放送波を受信するアンテナと、外部から有線で信号を入力する入力端子と、アンテナからの受信信号を変換してフーリエ変換信号を出力する第１の信号変換部と、入力端子からの入力信号を変換してフーリエ変換信号を出力する第２の信号変換部と、第１の変換信号と第２の変換信号の差分を検出する信号比較部と、信号比較部で検出された差分の情報を記録するメモリ部とを備えている。そして、第１の信号変換部からの出力信号を、メモリ部に記憶された差分の情報に基づいて、信号補正部にて補正することにより、１組の無線受信器と入力端子とを用いて装置自らが放射する電磁ノイズの記憶、除去を行うことができる。【選択図】図１
2010118880.tif 000002
【特許請求の範囲】
【請求項１】
電波信号を受信するアンテナと、
有線で外部から信号を入力する入力端子と、
前記アンテナからの信号を変換してフーリエ変換信号を出力する第１の信号変換部と、
前記入力端子からの信号を変換してフーリエ変換信号を出力する第２の信号変換部と、
前記第１の信号変換部からの出力信号と第２の信号変換部からの出力信号との差分を検出する信号比較部と、
前記信号比較部で検出された差分の情報を記憶するメモリ部と、を備えることを特徴とする受信装置。
【請求項２】
請求項１に記載の受信装置であって、
前記第１の信号変換部からの出力信号を、前記メモリ部に記憶された差分の情報に基づいて補正する信号補正部、を備えることを特徴とする受信装置。
【請求項３】
電波信号を受信する第１及び第２のアンテナと、
有線で外部からの信号を入力する入力端子と、
前記第１及び第２のアンテナからの受信信号をそれぞれ変換し、フーリエ変換信号を出力する信号変換部群と、
前記入力端子からの信号を変換してフーリエ変換信号を出力する前記第３の信号変換部と、
前記信号変換部群からの出力信号と前記第３の信号変換部からの出力信号との差分を検出する信号比較部と、
前記信号比較部で検出された差分の情報を記憶するメモリ部と、を備えることを特徴とする受信装置。
【請求項４】
請求項３に記載の受信装置であって、
前記信号変換部群からの出力信号の少なくとも一部を、前記メモリ部に記憶された差分の情報に基づいて補正する信号補正部、を備えることを特徴とする受信装置。
【請求項５】
請求項４に記載の受信装置であって、
前記信号補正部が補正した信号をダイバーシティ合成に用いることを特徴とする受信装置。
【発明の詳細な説明】
【技術分野】
【０００１】
本発明は、電波信号を受信する際のノイズを除去する受信装置に関するものである。
【背景技術】
【０００２】
地上デジタル放送受信装置が近年急速に普及している。地上デジタル放送は従来のアナログ放送と比較し、受信に必要な電界強度が低く有利である。しかし、その一方で受信に必要とする電界強度が十分に得られない場合、アナログ放送ではノイズを含んだ映像で僅かにでも受信できるのと異なり、全く受信できなくなる。このようなことから、地上デジタル放送受信装置においては受信特性を改善することがとりわけ重要である。受信特性は受信の基本性能を高めれば高めるほど自分自身が発生する自己ノイズの影響を受けることになる。特に受信装置にアンテナを搭載して直接受信を行うように構成したものであれば、自己ノイズの放射は直ぐに搭載アンテナへ飛び込み受信信号のＣＮ比を悪化させる。受信信号のＣＮ比悪化は受信特性の低下を引き起こす。したがってノイズ対策などの受信特性改善の技術が非常に重要となる。ノイズ対策の一つとして、あるノイズに対して逆位相の信号を重ね合わせノイズを相殺させるノイズ除去の技術がある。
【０００３】
特許文献１には音波ノイズを除去するために考えられた方法が示されている。図１１において、発声者１の近くに位置する第１の信号受信器１０と、この第１の信号受信器に近接して位置する第２の信号受信器２０との２組の信号受信器であるマイクを用い、それぞれのマイクの受信信号に対しパワースペクトルを求める演算部３０、４０を備える。最初の準備として、周囲ノイズのない場合に発声者１によって音声が発声されたときの２つのマイクが受信するパワースペクトルの比率を比率演算部５０で演算し、比率記憶部６０に記憶する。そして、周囲ノイズのある場合に発声され、２つのマイクが受信するパワースペクトル比率を比率演算部５０で求め、この比率と先に比率記憶部６０に記憶しておいた比率とを比較し、周囲ノイズがある場合とない場合とでのパワースペクトルの比率の差分を求める。そして、この差分をもとにパワースペクトル中の周囲ノイズ成分をノイズ推定部７０で推定し、ノイズ除去部８０にて、発声者１の近くに位置する信号受信器１０で受信したパワースペクトルからノイズ推定部７０で推定されたノイズ成分を除去する。つまり、発声者１の位置が固定で、周囲ノイズが複数の信号受信器に対してほぼ同一に受信される場合、２組の信号受信器のうち、発声者１に最も近い信号受信器１０に対する他の信号受信器２０のパワースペクトルの比率は、周囲ノイズが多く存在する場合とあまり存在しない場合とでは異なる。そして、周囲ノイズが存在しない場合の比率と存在する場合の比率とを比較して受信信号中のノイズ成分を推定し、この推定ノイズ成分を発声者１に最も近い信号受信器１０のパワースペクトルから除去することによりノイズ除去を行う。
【０００４】
この発明では、２組の受信器によってノイズの混在する音声を受信することにより、音声に重畳するノイズ成分と同一の時間変化をするノイズ成分を推定することができる。また、１組の受信器のみ使用した従来のノイズ除去方式よりもノイズの時間変動に対して追従性が良くなり、音声パワースペクトルの成分を誤って除去するなどの不適切なノイズ除去を防ぐことができる効果を有する。
【特許文献１】特開平４−１８４４００号公報
【発明の開示】
【発明が解決しようとする課題】
【０００５】
しかしながら特許文献１に開示されたノイズ除去技術を無線技術に応用した場合では、２組の無線信号受信器（アンテナ）が必要であり、周囲ノイズは除去できても、装置自らが放射し受信アンテナから入るノイズを識別できないという課題があった。
【０００６】
そこで本発明は上記課題を解決すべく、１組の無線受信器であるアンテナと入力端子とを用いて、装置自らが放射しアンテナから入るノイズを識別・判別することを目的とする。
【課題を解決するための手段】
【０００７】
本発明の受信装置は、電波信号を受信するアンテナと、有線で外部から信号を入力する入力端子と、前記アンテナからの信号を変換してフーリエ変換信号を出力する第１の信号変換部と、前記入力端子からの信号を変換してフーリエ変換信号を出力する第２の信号変換部と、前記第１の信号変換部からの出力信号と第２の信号変換部からの出力信号との差分を検出する信号比較部と、前記信号比較部で検出された差分の情報を記憶するメモリ部と、を備えることを特徴とするものである。
【０００８】
これにより、自装置が放射しアンテナから入るノイズを識別することが可能となる。
【０００９】
さらに上記の発明において、信号変換部からの出力信号を前記メモリ部に記憶された差分の情報に基づいて補正する信号補正部を備えることを特徴とするものであってもよい。
【００１０】
この場合には、識別したノイズを用いてアンテナで受信する無線信号に含まれるノイズを相殺し、該装置の受信状況を改善することも可能となる。
【００１１】
また本発明の受信装置は、電波信号を受信する第１及び第２のアンテナと、有線で外部からの信号を入力する入力端子と、前記第１及び第２のアンテナからの受信信号をそれぞれ変換し、フーリエ変換信号を出力する信号変換部群と、前記入力端子からの信号を変換してフーリエ変換信号を出力する前記第３の信号変換部と、前記信号変換部群からの出力信号と前記第３の信号変換部からの出力信号との差分を検出する信号比較部と、前記信号比較部で検出された差分の情報を記憶するメモリ部と、を備えることを特徴とするものである。
【００１２】
この場合にも、自装置が放射しアンテナから入るノイズを識別することが可能となる。
【００１３】
さらに、前記信号変換部群からの出力信号の少なくとも一部を前記メモリ部に記憶された差分の情報に基づいて補正する信号補正部を備えることを特徴とするものであってもよい。
【００１４】
これにより同様に、識別したノイズを用いてアンテナで受信する無線信号に含まれるノイズを相殺し、該装置の受信状況を改善することが可能となる。
【００１５】
また前記信号補正部が補正した信号をダイバーシティ合成に用いてもよい。
【００１６】
この場合には、さらに受信装置の受信状態を改善することが可能となる。
【発明の効果】
【００１７】
以上のように構成した本発明の受信装置によれば、あらかじめ自装置が発生するノイズ成分を識別・判別することが可能となる。また、受信した電波に含まれるノイズを該メモリに記録したノイズ情報で相殺し自己ノイズの影響を除去することができるようになる。
【発明を実施するための最良の形態】
【００１８】
（第１の実施の形態）
図１は、本発明の実施の形態における受信装置１００の構成を示すブロック図である。送信局や放送局等から送信された放送波の受信手段としてアンテナ１１０と外部からの信号を有線で入力する入力端子１６０を有する。この入力端子１６０に入力される信号は、アンテナ１１０で受信する受信信号と同一の信号内容（コンテンツ）である。この信号は、当該受信装置が放射するノイズの影響を受けていない信号であることが望ましい。例えば、当該受信装置から放射ノイズの影響を受けない程度に距離を置いた場所に設置された外部アンテナにより受信された信号が有線経由で入力端子１６０に入力される等である。また、他の例としてアンテナは放送局からの送信波をアンテナで受信し、入力端子１６０は放送局から優先（例えばケーブルなどで）送られてくる信号を受信するというような構成である。
【００１９】
周波数変換部１２０および１７０は、それぞれアンテナ１１０、入力端子１６０にて受信した高周波（ＲＦ）信号を中間周波（ＩＦ）帯に変換し、これらの信号をさらにベースバンド信号に周波数変換する。周波数変換された信号はデジタル変換部１３０および１８０にて所定のサンプリング周波数でアナログ信号からデジタル信号に変換され、その後フーリエ変換部１４０および１９０にて周波数領域のサブバンド信号に変換される。アンテナ１１０から受信された信号を変換する周波数変換部１２０、デジタル変換部１３０、フーリエ変換部１４０をまとめて第１の信号変換部１５０、入力端子から入力された信号を変換する周波数変換部１７０、デジタル変換部１８０、フーリエ変換部１９０をまとめて第２の信号変換部２００と呼ぶ。
【００２０】
信号比較部２１０では第１の信号変換部１５０および第２の信号変換部２００の出力信号のレベル調整を行い、これらの信号の差分をとることによりノイズ成分を検出する。装置自身から放射されるノイズ成分は周期性を有しているため、差分信号の中から周期性を有する信号をノイズ成分として同定する。このようにしてアンテナ１１０が希望信号と共に受信してしまうノイズ成分を検出し、検出したノイズ成分を周波数に対する強度データの形でメモリ部２２０に記憶する。
【００２１】
信号補正部２３０では第１の信号変換部１５０から出力される信号からメモリ部２２０に記憶されたノイズ成分を減算する。信号補正部２３０の内部構成を示す図が図２である。信号補正部２３０は第１の信号変換部１５０のＡＧＣ回路からのレベル情報をもとにして、相殺のために用いるノイズ信号レベルを乗算手段にて調整するノイズレベル調整部２８０と、第１の信号変換部１５０の出力信号からノイズレベル調整部２８０の出力信号を減算するノイズ減算部２９０とを有する。ノイズレベル調整を行うのは入力信号のレベルに応じてＡＧＣが作用すると出力信号レベルを一定に保つためにノイズレベルが相対的に圧縮、または拡張されるためである。ノイズ成分検出時の信号レベル情報をメモリ部２２０に記憶し、実動作時の信号レベル情報と記憶した情報とを比較、演算することによりレベル調整を行い、相殺に適するノイズレベルを決定してノイズ減算部２９０で第１の信号変換部１５０の出力信号からノイズレベル調整部２８０の出力信号を減算する。そして、復調部２４０にて第１の信号変換部１５０および第２の信号変換部２００のＡＧＣ回路からの出力信号レベル情報の比較を行い、信号レベルがより高い信号に対して復調処理を行う。信号処理部２５０では復調部２４０にて復調された信号のデコード処理、映像信号のサイズ調整、画質調整、音声信号のアナログ信号変換等の信号処理を行い、映像表示部２６０にて映像表示、音声出力部２７０にて音声出力を行う。
【００２２】
上記のように構成された本発明の受信装置１００が行う処理の流れについて、図を参照しながら説明する。
【００２３】
ステップＳ１において、最初の準備として図３に示すようにノイズ成分のメモリ部２２０への記憶を行う。アンテナ１１０、入力端子１６０から同一の放送波を受信する。このとき、図４に示すように放送波の混信が発生しない電波暗箱３００などの環境に本発明の受信装置１００を設置し、ノイズ検出を行うことが望ましい。これは、アンテナ１１０で受信する受信波に一般放送などの外部信号が混信しないようにして、入力端子１６０からの入力信号との差分検出を行いやすくするためである。地上デジタル放送の変調信号を出力する信号発生器３１０から出力する信号を信号分配器３２０にて分配し、一方を同軸ケーブルにてこの環境内に設置された放射用アンテナ３３０に接続し、この放射用アンテナから放射される信号をアンテナ１１０で受信する。そして、信号分配器３２０と受信装置１００の入力端子１６０とを同軸ケーブルで接続し、分配された信号のもう一方を入力端子１６０から入力する。
【００２４】
ステップＳ２において、それぞれ受信した高周波（ＲＦ）信号を周波数変換部１２０および１７０にて中間周波（ＩＦ）帯に変換し、さらにベースバンド信号に周波数変換する。周波数変換された信号はデジタル変換部１３０および１８０にて所定のサンプリング周波数でアナログ信号からデジタル信号に変換され、その後フーリエ変換部１４０および１９０にて周波数領域のサブバンド信号に変換され出力さする。
【００２５】
続いてステップＳ３において、これらフーリエ変換された第１の信号変換部１５０および第２の信号変換部２００からの出力信号を信号比較部２１０にて比較し、アンテナ１１０で受信した信号に含まれるノイズ成分を検出する。
【００２６】
ステップＳ４で、信号比較部２１０にて検出したノイズ成分をメモリ部２２０へ記憶する。ノイズ成分検出時の第１の信号変換部１５０から出力されるＡＧＣ回路での信号レベル情報Ｇ（ｆ）も同時にメモリ部２２０に記憶する。
【００２７】
ここで、図５を用いてノイズ成分の検出方法を示す。アンテナ１１０で受信し第１の信号変換部１５０から出力される信号Ｐ１（ｆ）は放送波とノイズ成分を含む周波数に対する信号強度のデータであり（図５（ａ））、入力端子１６０で入力し第２の信号変換部２００から出力される信号Ｐ２（ｆ）は放送波のみを含む周波数に対する強度のデータである（図５（ｂ））。このとき、Ｐ１（ｆ）−Ｐ２（ｆ）の演算を行うことにより、図５（ｃ）に示すノイズ成分Ｐｎ（ｆ）が算出される。このＰｎ（ｆ）を所定の時間区間内で平均化するなどして周期成分を抽出し、周波数対ノイズ強度の形でメモリ部２２０へ記憶する。また、第１の信号変換部１５０のＡＧＣ回路からの信号レベル情報Ｇ（ｆ）も併せてメモリ部２２０へ記憶する。このノイズ成分、および信号レベルの検出をテレビ放送の物理チャンネルごとに行い、メモリ部２２０に各物理チャンネルのノイズ成分、および信号レベル情報を記憶させる。最初の準備はこれで完了である。
【００２８】
次に実際に放送波をアンテナ１１０にて受信し、映像表示部２６０にて映像出力、音声出力部２７０にて音声出力を行う場合の動作を図６を参照して説明する。
【００２９】
ステップＳ１０で、アンテナ１１０から放送波を受信する。
【００３０】
次にステップＳ１１において、受信した高周波（ＲＦ）信号は周波数変換部１２０にて中間周波（ＩＦ）帯に変換され、さらにベースバンド信号に周波数変換される。周波数変換された信号はデジタル変換部１３０にて所定のサンプリング周波数でアナログ信号からデジタル信号に変換され、その後フーリエ変換部１４０にて周波数領域のサブバンド信号に変換され出力される。
【００３１】
ステップＳ１２で、第１の信号変換部１５０から出力される信号に対して信号補正部２３０にてノイズ成分の除去が行われ、復調部２４０に信号が出力される。
【００３２】
信号補正部２３０でのノイズ除去について図７を参照して説明する。アンテナ１１０で受信し第１の信号変換部１５０から出力される信号Ｐ１´（ｆ）は放送波とノイズ成分を含む周波数に対する信号強度のデータである（図７（ａ））。選局されているチャンネルのノイズ成分のデータＰｎ（ｆ）、およびノイズ成分が検出された際の第１の信号変換部１５０のＡＧＣ回路からの信号レベル情報Ｇ（ｆ）をメモリ部２２０から読み出す。そしてノイズレベル調整部２８０にて、メモリ部２２０から読み出した信号レベル情報Ｇ（ｆ）と第１の信号変換部１５０のＡＧＣ回路から出力される現在の信号レベル情報Ｇ´（ｆ）から、以下の演算を行うことにより、ノイズ減算部２９０にて減算するノイズ成分Ｐｎ´（ｆ）を求める。このときの演算式は、Ｐｎ´（ｆ）＝（Ｇ´（ｆ）／Ｇ（ｆ））×Ｐｎ（ｆ）である（図７（ｂ））。このノイズレベルの調整により、アンテナ１１０からの入力信号レベルが変動した際にも、正しいレベルを有するノイズ成分を求めることができ、放送波を間違って除去することがなくなる。そしてＰ１´（ｆ）−Ｐｎ´（ｆ）の演算を行うことにより、アンテナ１１０で受信し第１の信号変換部１５０から出力される信号からノイズ成分が除去された信号Ｐ（ｆ）が求まる（図７（ｃ））。
【００３３】
ステップＳ１３で、復調部２４０ではこの信号Ｐ（ｆ）の復調処理を行い、次の信号処理部２５０へ信号を出力する。
【００３４】
ステップＳ１４で、信号処理部２５０にて信号のデコード処理、映像信号のリサイズ処理、画質調整、音声信号のアナログ信号変換等の信号処理を行い、映像表示部２６０にて映像表示、音声出力部２７０にて音声出力を行う。
【００３５】
以上のように本実施の形態によれば、受信装置１００はアンテナ１１０と入力端子１６０とこれら２つの受信器で受信した信号を比較する信号比較部２１０によりアンテナから入る自装置が放射するノイズを識別・判別する
さらに信号比較部２１０で検出されたノイズ成分をメモリ部２２０に記憶し、該記録情報に基づいて信号補正部２３０にてノイズの除去を行う。これにより受信状態を改善することが可能となる。
【００３６】
またこの構成では、アンテナ１１０と装置に予め備わっている入力端子１６０とが受信する信号を比較しノイズ成分を検出するため、ノイズを検出するためのノイズピックアンテナ等の第２の無線受信器が不要となり、ノイズ除去システムをシンプルな構成で実現することができる。
【００３７】
また、従来のノイズ除去技術では、周囲ノイズは除去できても、装置自らが放射するノイズは除去できないという課題があった。これは、周囲ノイズがある場合と、ない場合との２組の受信機器からの受信信号の強度比率を比較し、その比較データをもとにノイズ成分の推定を行っていたため、装置自らが強いノイズを放射する場合はその比較データに有意な差が生じないためである。しかし、本発明の受信装置によれば、１組の無線受信器（アンテナ）と入力端子とを用いて、装置自らが放射する電磁ノイズをメモリ部に記憶するため、装置自らが放射する電磁ノイズを除去することができる。
【００３８】
また、ノイズデータは予め記憶されているため、実動作時のリアルタイムでのノイズ成分の検出、または推定が必要なく、ノイズ除去の処理時間を短縮することができる。
【００３９】
（第２の実施の形態）
本発明の第２の実施の形態にかかる受信装置は、２組以上のアンテナを有するダイバーシティ受信装置において、全てのアンテナ受信信号に対してノイズ成分の除去を行い、ノイズ除去を行った信号に対してダイバーシティ合成処理を行うことができる。このため、受信特性のさらなる改善を実現することができる。
【００４０】
図８は本発明の実施の形態２における受信装置５００の構成を示すブロック図である。なお、第１の実施の形態と同様の構成を有するものについては同一符号を付し、その説明を省略する。
【００４１】
図８において第１の実施の形態と相違する構成について説明する。本実施の形態の受信装置５００は放送波を受信する第２のアンテナ５１０と、第２のアンテナ５１０にて受信した高周波（ＲＦ）信号を中間周波（ＩＦ）帯に変換し、さらにベースバンド信号に周波数変換する周波数変換部５２０とを有する。周波数変換された信号はデジタル変換部５３０にて所定のサンプリング周波数でアナログ信号からデジタル信号に変換され、その後フーリエ変換部５４０にて周波数領域のサブバンド信号に変換される。第２のアンテナ５１０から受信された信号を変換する周波数変換部５２０、デジタル変換部５３０、フーリエ変換部５４０をまとめて第３の信号変換部５５０と呼ぶ。また、信号補正部５６０は第１の信号変換部１５０および第３の信号変換部５５０の両方が出力する信号に対して補正（ノイズ成分の除去）が行えるような構成になっている。また、信号補正部５６０の出力信号が入力される復調・ダイバーシティ合成部５７０は復調処理に加えて、入力される２つのアンテナ受信信号に対してダイバーシティ合成処理を行う。
【００４２】
上記のように構成された本発明の放送受信器の動作について説明する。ノイズ成分の検出は、第１の実施の形態と同様にアンテナ１１０受信信号と入力端子１６０入力信号とを比較することにより、ノイズ検出およびノイズ成分の記憶を行う。
【００４３】
次に、２組のアンテナ１１０および５１０にて信号を受信し、映像表示部２６０にて映像出力、音声出力部２７０にて音声出力を行う場合の動作を図９を参照しながら説明する。
【００４４】
ステップＳ２０で、アンテナ１１０およびアンテナ５１０から放送波を受信する。
【００４５】
ステップＳ２１で、受信した高周波（ＲＦ）信号を周波数変換部１２０および５２０にて中間周波（ＩＦ）帯に変換し、さらにベースバンド信号に周波数変換する。周波数変換された信号はデジタル変換部１３０および５３０にて所定のサンプリング周波数でアナログ信号からデジタル信号に変換され、その後フーリエ変換部１４０および５４０にて周波数領域のサブバンド信号に変換され出力する。
【００４６】
ステップＳ２２で、第１の信号変換部１５０および第３の信号変換部５５０から出力される両信号に対して信号補正部５６０にてノイズ成分の除去が行われ、復調・ダイバーシティ合成部５７０に信号を出力する。この場合のノイズ成分の除去方法は第１の実施の形態と同様である。
【００４７】
ステップＳ２３では、第１の信号変換部１５０および第３の信号変換部５５０から出力され、信号補正部５６０にてノイズ成分の除去がされた２つの信号に対して復調・ダイバーシティ合成部５７０が復調処理および最大比合成等のダイバーシティ合成処理を行う。。このダイバーシティ合成処理により、受信特性の優れた部分を最大限に活用すると共にマルチパスやフェージングの影響を抑えた良好な合成受信信号を得ることができる。
【００４８】
ステップＳ２４で、信号処理部２５０が信号のデコード処理、映像信号のリサイズ処理、画質調整、音声信号のアナログ信号変換等の信号処理を行い、次に映像表示部２６０が映像表示、音声出力部２７０にて音声出力を行う。
【００４９】
以上のように本実施の形態によれば、受信装置５００は第１のアンテナ１１０と第２のアンテナ５１０から入る自装置が放射するノイズを識別・判別する
また、２組以上のアンテナを有するダイバーシティ受信の際に全てのアンテナ受信信号に対してノイズ成分の除去を行い、ノイズ除去を行った信号に対してダイバーシティ合成処理を行うことができる。このため、ノイズ除去された信号の受信特性が優れた部分を最大限に活用すると共にマルチパスやフェージングの影響の抑制を行うことにより、受信特性のさらなる改善を実現することができる。
【００５０】
（第３の実施の形態）
本発明の実施の形態３にかかる受信装置は、２組以上のアンテナを有するダイバーシティ受信装置において、第２のアンテナにて受信された信号の信号変換と入力端子にて受信された信号の信号変換とが同一の信号変換部にて行われる。これにより、必要な信号変換部の数を減少させることができ、装置の簡略化を行うことができる。
【００５１】
図１０は本発明の実施の形態３における受信装置６００の構成を示すブロック図である。なお、実施の形態２と同様の構成を有するものについては同一符号を付し、その説明を省略する。
【００５２】
図１０において実施の形態２と相違する構成について説明する。本実施の形態の受信装置６００は、第２のアンテナ５１０と入力端子１６０との信号切り替え用にＲＦスイッチ６１０を備える。信号補正部５６０は第１の信号変換部１５０および第２の信号変換部２００の両方が出力する信号に対して補正（ノイズ成分の除去）が行えるような構成になっている。また、信号補正部５６０の出力信号が入力される復調・ダイバーシティ合成部５７０は復調処理に加えて、入力される２つのアンテナ受信信号に対してダイバーシティ合成処理を行う。
【００５３】
上記のように構成された本発明の放送受信器の動作について説明する。ノイズ成分の検出の際はＲＦスイッチ６１０を入力端子１６０にて入力した信号が選択的に通過するように設定する。そして、実施の形態２と同様にアンテナ１１０受信信号と入力端子１６０入力信号とを比較することにより、ノイズ検出およびノイズ成分の記憶を行う。
【００５４】
また、反対に第１及び第２のアンテナで信号を受信する際は、ＲＦスイッチ６１０をアンテナ５１０で受信した信号を選択的に通過するように設定する。以降の処理は第２の実施の形態と同様であるので説明を省略する。
【００５５】
以上のように本実施の形態によれば、第２の実施の形態と同じような効果が得られることはいうまでも無く、さらに第２のアンテナ５１０と入力端子１６０との入力をＲＦスイッチ６１０で切り替えることができるので、１組以上のアンテナを有するダイバーシティ受信の際に、必要な信号変換部の数を減少させることができ、装置の簡略化を行うことができる。
【００５６】
上記第１乃至第３の実施の形態では、テレビ放送波をアンテナにて受信し、その放送波に重畳するノイズ成分を記憶、および除去する方法について説明した。しかし、本発明はこれには限定されない。例えば、無線ＬＡＮ信号や、携帯電話信号などの他の高周波信号を受信する装置に関しても本発明の実施の形態１および実施の形態２と同様の方法を用いることにより、ノイズ成分の記憶、および除去を行うことが可能である。
【産業上の利用可能性】
【００５７】
本発明の受信装置によれば、１組の無線受信器であるアンテナと入力端子とを用いて、装置自らが放射する電磁ノイズを記憶、除去することができるので、持ち運び可能な受信装置等において有用である。
【図面の簡単な説明】
【００５８】
【図１】第１の実施の形態で示す受信装置の構成を示すブロック図
【図２】信号補正部２３０の内部ブロック図
【図３】第１の実施の形態におけるノイズ検出の動作を示すフローチャート
【図４】ノイズ検出の一例を示す模式図
【図５】第１の実施の形態において出力信号の差分からノイズ成分を検出する図
【図６】第１の実施の形態においてノイズ除去の動作を示すフローチャート
【図７】第１の実施の形態においてメモリ部に記憶したノイズ成分によりノイズ除去する図
【図８】第２の実施の形態の受信装置の構成を示すブロック図
【図９】第２の実施の形態のノイズ除去の動作を示すフローチャート
【図１０】第３の実施の形態の受信装置の構成を示すブロック図
【図１１】従来のノイズ除去技術の構成を示すブロック図
【符号の説明】
【００５９】
１    発声者
１０    第１の信号受信器
２０    第２の信号受信器
３０、４０    パワースペクトル演算部
５０    比率演算部
６０    比率記憶部
７０    ノイズ推定部
８０    ノイズ除去部
１００、５００、６００    受信装置
１１０、５１０    アンテナ
１２０、１７０、５２０    周波数変換部
１３０、１８０、５３０    デジタル変換部
１４０、１９０、５４０    フーリエ変換部
１５０、２００、５５０    信号変換部
１６０    入力端子
２１０    信号比較部
２２０    メモリ部
２３０、５６０    信号補正部
２４０    復調部
２５０    信号処理部
２６０    映像表示部
２７０    音声出力部
２８０    ノイズレベル調整部
２９０    ノイズ減算部
３００    電波暗箱
３１０    信号発生器
３２０    信号分配器
３３０    放射用アンテナ
５７０    復調・ダイバーシティ合成部
６１０    ＲＦスイッチ
【図１】
2010118880.tif 000003
【図２】
2010118880.tif 000004
【図３】
2010118880.tif 000005
【図４】
2010118880.tif 000006
【図５】
2010118880.tif 000007
【図６】
2010118880.tif 000008
【図７】
2010118880.tif 000009
【図８】
2010118880.tif 000010
【図９】
2010118880.tif 000011
【図１０】
2010118880.tif 000012
【図１１】
2010118880.tif 000013